(57)【要約】【課題】低コストで送風効率を向上するとともに騒音を低減して複数の方向に気流を送出できる送風ファンを提供する。【解決手段】クロスフロー型の羽根車３３と、羽根車３３を覆って気流路を形成するとともに羽根車３３の軸方向に並設される第１ケーシング３１及び第２ケーシング３２とを備え、第１ケーシング３１を通る気流の吹出し方向と、第２ケーシング３２を通る気流の吹出し方向とが異なるようにした。【選択図】図４
2011141058.tif 000002
【特許請求の範囲】
【請求項１】
クロスフロー型の羽根車と、前記羽根車を覆って気流路を形成するとともに前記羽根車の軸方向に並設される第１ケーシング及び第２ケーシングとを備え、第１ケーシングを通る気流の吹出し方向と、第２ケーシングを通る気流の吹出し方向とが異なることを特徴とする送風ファン。
【請求項２】
第１ケーシングは前記羽根車が突出する第１吸気側開口部を一端に開口して前記羽根車の排気側に延びるとともに、第２ケーシングは前記羽根車が突出する第２吸気側開口部を一端に開口して前記羽根車の排気側に延び、第１吸気側開口部の開口面と第２吸気側開口部の開口面とが前記羽根車の周方向に異なる角度に配されることを特徴とする請求項１に記載の送風ファン。
【請求項３】
第１吸気側開口部から所定範囲の第１ケーシングが第２吸気側開口部から所定範囲の第２ケーシングを前記羽根車の軸方向から見て前記羽根車の回転中心の回りに回転移動させた形状に一致することを特徴とする請求項２に記載の送風ファン。
【請求項４】
第１ケーシングを通る気流の吹出し方向と第２ケーシングを通る気流の吹出し方向とが９０゜以上異なることを特徴とする請求項２または請求項３に記載の送風ファン。
【請求項５】
請求項１〜請求項４のいずれかに記載の送風ファンを備え、室内に向かって複数方向に気流を送出して室内の空気を循環させることを特徴とするサーキュレータ。
【請求項６】
第１ケーシングによって水平または前方上方に向けて室内に気流を送出し、第２ケーシングによって下方に向けて室内に気流を送出することを特徴とする請求項５に記載のサーキュレータ。
【請求項７】
請求項１〜請求項４のいずれかに記載の送風ファンと、微小粒子を発生する微小粒子発生装置とを備え、室内に向かって複数方向に微小粒子を含む気流を送出して室内に微小粒子を拡散させることを特徴とする微小粒子拡散装置。
【請求項８】
第１ケーシングによって水平または上方に向けて室内に気流を送出し、第２ケーシングによって下方に向けて室内に気流を送出することを特徴とする請求項７に記載の微小粒子拡散装置。
【請求項９】
前記微小粒子発生装置で発生する微小粒子が、イオン、芳香剤、消臭剤、殺虫剤、殺菌剤のいずれかを含むことを特徴とする請求項７または請求項８に記載の微粒子拡散装置。
【発明の詳細な説明】
【技術分野】
【０００１】
本発明は、クロスフロー型の羽根車の回転により気流を発生させる送風ファンに関する。また本発明は、室内の空気を循環させるサーキュレータに関する。また本発明は、イオン等の微小粒子を送出して室内に拡散させる微小粒子拡散装置に関する。
【背景技術】
【０００２】
特許文献１にはクロスフロー型の羽根車を有する送風ファンを備え、室内の空気を循環させるサーキュレータが開示されている。このサーキュレータは空気調和機から成り、筐体の上面には吸込口が開口して前面下部には吹出口が開口する。筐体内に配される送風ファンと吸込口との間には熱交換器が配される。
【０００３】
送風ファンは羽根車をケーシングで覆うクロスフローファンから成っている。ケーシングは羽根車が突出する吸気側開口部を一端に開口し、羽根車の排気側に延びて吹出口に連結される。これにより、羽根車の排気側の気流路がケーシングによって形成される。また、気流路内の吹出口近傍には水平方向及び鉛直方向に風向を可変する可動のルーバーが設けられる。
【０００４】
送風ファンが駆動されると室内の空気が吸込口から筐体内に取り込まれ、熱交換器と熱交換する。熱交換器と熱交換した空気はケーシングの吸気側開口部を介して送風ファンの排気側に導かれる。そして、吹出口から室内に空気が送出され、室内の空気調和を行うとともに室内の空気が循環される。
【０００５】
また、可動のルーバーによって吹出口から所定の方向に向けて空気が送出される。これにより、室内の複数の方向に空気を送出して室内の隅々まで空気を循環させることができる。
【先行技術文献】
【特許文献】
【０００６】
【特許文献１】特開２００９−２７０５３０号公報（第５頁−第８頁、第１図）
【発明の概要】
【発明が解決しようとする課題】
【０００７】
しかしながら、上記従来のサーキュレータによると、室内の複数の方向に空気を送出するために可動のルーバーが設けられるが、構造が複雑になるためコストが大きくなる問題があった。また、吹出口近傍のルーバーによって気流が吹出口近傍で急激に曲げられる。このため、圧力損失が大きくなり、送風効率が悪くなるとともに騒音が大きくなる問題があった。
【０００８】
また、ルーバーを省いて送風ファンの排気側の気流路を分岐し、複数の方向に空気を送出することもできる。しかしながらこの場合も同様に、送風ファンの排気側で気流が急激に曲げられるため、送風効率が悪くなるとともに騒音が大きくなる。
【０００９】
また、サーキュレータの気流路にイオン、芳香剤、消臭剤、殺虫剤、殺菌剤等の微小粒子を発生する微小粒子発生装置を設け、室内に微小粒子を送出して拡散させる微小粒子拡散装置についても同様の問題がある。
【００１０】
本発明は、低コストで送風効率を向上するとともに騒音を低減して複数の方向に気流を送出できる送風ファン及びそれを用いたサーキュレータ、微小粒子拡散装置を提供することを目的とする。
【課題を解決するための手段】
【００１１】
上記目的を達成するために本発明の送風ファンは、クロスフロー型の羽根車と、前記羽根車を覆って気流路を形成するとともに前記羽根車の軸方向に並設される第１ケーシング及び第２ケーシングとを備え、第１ケーシングを通る気流の吹出し方向と、第２ケーシングを通る気流の吹出し方向とが異なることを特徴としている。
【００１２】
この構成によると、軸方向に並設される第１ケーシング及び第２ケーシングによりクロスフロー型の羽根車を覆い、クロスフローファンから成る送風ファンが形成される。羽根車の回転によって送風ファンの吸気側の空気が羽根車を貫通し、第１ケーシング及び第２ケーシングを流通する。第１ケーシングを流通する気流は所定方向に吹き出され、第２ケーシングを流通する気流は第１ケーシングを流通する気流と異なる方向に吹き出される。
【００１３】
また本発明は、上記構成の送風ファンにおいて、第１ケーシングは前記羽根車が突出する第１吸気側開口部を一端に開口して前記羽根車の排気側に延びるとともに、第２ケーシングは前記羽根車が突出する第２吸気側開口部を一端に開口して前記羽根車の排気側に延び、第１吸気側開口部の開口面と第２吸気側開口部の開口面とが前記羽根車の周方向に異なる角度に配されることが好ましい。
【００１４】
この構成によると、羽根車の回転によって送風ファンの吸気側の空気が羽根車を貫通し、第１吸気側開口部から第１ケーシングに流入するとともに第２吸気側開口部から第２ケーシングに流入する。第１吸気側開口部の開口面と第２吸気側開口部の開口面とは羽根車の周方向に異なる角度に配され、第１、第２ケーシングはそれぞれ第１、第２吸気側開口部から所定の方向に延びて形成される。
【００１５】
また本発明は、上記構成の送風ファンにおいて、第１吸気側開口部から所定範囲の第１ケーシングが第２吸気側開口部から所定範囲の第２ケーシングを前記羽根車の軸方向から見て前記羽根車の回転中心の回りに回転移動させた形状に一致することが好ましい。この構成によると、第１ケーシングの壁面が第１吸気側開口部から所定の曲率で形成され、第２ケーシングの壁面が第２吸気側開口部から所定範囲で第１ケーシングと同じ曲率で形成される。
【００１６】
また本発明は、上記構成の送風ファンにおいて、第１ケーシングを通る気流の吹出し方向と第２ケーシングを通る気流の吹出し方向とが９０゜以上異なるようにしてもよい。
【００１７】
また本発明のサーキュレータは、上記各構成の送風ファンを備え、室内に向かって複数方向に気流を送出して室内の空気を循環させることを特徴としている。この構成によると、第１ケーシングを流通する気流が室内に送出され、第２ケーシングを流通する気流が第１ケーシングを流通する気流と異なる方向に送出される。室内に送出された空気は室内を循環して送風ファンの吸気側に戻る。
【００１８】
また本発明は、上記構成のサーキュレータにおいて、第１ケーシングによって水平または前方上方に向けて室内に気流を送出し、第２ケーシングによって下方に向けて室内に気流を送出することが好ましい。この構成によると、第１ケーシングを流通する気流は水平または前方上方に向けて室内に送出され、室内を循環する。第２ケーシングを流通する気流は下方に向けて室内に送出され、サーキュレータが設けられる壁面に沿って流通する。
【００１９】
また本発明の微小粒子拡散装置は、上記各構成の送風ファンと、微小粒子を発生する微小粒子発生装置とを備え、室内に向かって複数方向に微小粒子を含む気流を送出して室内に微小粒子を拡散させることを特徴としている。この構成によると、微小粒子発生装置で発生する微小粒子が第１ケーシング及び第２ケーシングを流通する気流に含まれる。第１ケーシングを流通する気流は室内に送出され、第２ケーシングを流通する気流が第１ケーシングを流通する気流と異なる方向に送出される。これにより、微小粒子が室内に拡散される。
【００２０】
また本発明は、上記構成の微小粒子拡散装置において、第１ケーシングによって水平または前方上方に向けて室内に気流を送出し、第２ケーシングによって下方に向けて室内に気流を送出することが好ましい。この構成によると、第１ケーシングを流通する気流は水平または前方上方に向けて室内に送出され、室内に微小粒子が拡散される。第２ケーシングを流通する気流は下方に向けて室内に送出され、微小粒子拡散装置が設けられる壁面に沿って流通して下方に微小粒子が供給される。
【００２１】
また本発明は、上記構成の微小粒子拡散装置において、前記微小粒子発生装置で発生する微小粒子が、イオン、芳香剤、消臭剤、殺虫剤、殺菌剤のいずれかを含むようにしてもよい。
【発明の効果】
【００２２】
本発明によると、送風ファンの羽根車を覆う第１、第２ケーシングが羽根車の軸方向に並設され、それぞれを通る気流の吹出し方向が異なるので、簡単な構成で複数の方向に気流を送出することができる。また、気流が急激に曲げられないため圧力損失の低下を防止し、送風効率を向上するとともに騒音を低減することができる。
【図面の簡単な説明】
【００２３】
【図１】本発明の実施形態の微小粒子拡散装置を上方から見た斜視図
【図２】本発明の実施形態の微小粒子拡散装置を下方から見た斜視図
【図３】本発明の実施形態の微小粒子拡散装置の正面図
【図４】図３のＡ−Ａ断面の側面断面図
【図５】図３のＢ−Ｂ断面の側面断面図
【図６】図３のＣ−Ｃ断面の上面断面図
【図７】本発明の実施形態の微小粒子拡散装置の室内の気流状態を示す図
【発明を実施するための形態】
【００２４】
以下に本発明の実施形態を図面を参照して説明する。図１、図２及び図３は一実施形態の微小粒子拡散装置を上方から見た斜視図、下方から見た斜視図及び正面図である。微小粒子拡散装置１は筐体２で覆われ、室内の一の側壁Ｓと天井壁Ｔ（図４参照）とのコーナー近傍の側壁Ｓに設置される。また、筐体２と天井壁Ｔ（図４参照）との間には所定の隙間Ｈ（図４参照）が設けられる。
【００２５】
筐体２の下面には第１吸込口５ａが開口し、上面の両側部には第２吸込口５ｂが開口する。第１吸込口５ａ及び第２吸込口５ｂにはそれぞれフィルター６が配される。筐体２の前面上部には室内に向かって右から順に第１吹出口４ａ、第２吹出口４ｂ及び第３吹出口４ｃが水平方向に並設される。筐体２の下面の両側部には第４吹出口４ｄが開口する。
【００２６】
第１吹出口４ａ、第２吹出口４ｂ及び第３吹出口４ｃは筐体２の上端に設けられ、天井壁Ｔ（図４参照）に沿って流れる空気を送出する。詳細を後述するように、第１吹出口４ａは筐体２から右方に空気を送出し、第２吹出口４ｂは筐体２から前方に空気を送出し、第３吹出口４ｃは筐体２から左方に空気を送出する。また、第４吹出口４ｄは下方に向かって空気を送出する。
【００２７】
図４、図５は図３のＡ−Ａ断面の側面断面図及びＢ−Ｂ断面の側面断面図を示している。筐体２内にはクロスフローファン（貫流ファン）から成る送風ファン３０が配される。送風ファン３０はクロスフロー型の羽根車３３を第１ケーシング３１及び第２ケーシング３２により覆って形成される。
【００２８】
羽根車３３はファンモータ３３ａ（図１参照）により回転駆動され、回転軸が水平に配される。ファンモータ３３ａの駆動によって送風ファン３０は羽根車３３の周方向から吸気して周方向に排気する。第１ケーシング３１及び第２ケーシング３２は羽根車３３の軸方向に並設され、第１ケーシング３１の両側方に第２ケーシング３２が配される。
【００２９】
筐体２内には第１吸込口５ａから流入する空気が流通する第１送風経路１０及び第２吸込口５ｂから流入する空気が流通する第２送風経路２０が設けられる。第１送風経路１０の羽根車３３よりも下流側の気流路が第１ケーシング３１により形成され、第２送風経路２０の羽根車３３よりも下流側の気流路が第２ケーシング３２により形成される。
【００３０】
第１ケーシング３１は一端に第１吸気側開口部３１ａが開口し、羽根車３３の約半周が第１吸気側開口部３１ａから突出して配される。第１吸気側開口部３１ａの近傍で羽根車３３と第１ケーシング３１との隙間が最小に形成される。第１送風経路１０の羽根車３３よりも上流側の流路面積は第１吸気側開口部３１ａよりも大きくなっている。第１ケーシング３１の壁面は所定の曲率で湾曲し、先端に第１吹出口４ａ、第２吹出口４ｂ及び第３吹出口４ｃが開口する。これにより、第１吹出口４ａ、第２吹出口４ｂ及び第３吹出口４ｃと第１吸込口５ａとを連結した第１送風経路１０が形成される。
【００３１】
第２ケーシング３２は一端に第２吸気側開口部３２ａが開口し、羽根車３３の約半周が第２吸気側開口部３２ａから突出して配される。第２吸気側開口部３２ａの近傍で羽根車３３と第２ケーシング３２との隙間が最小に形成される。第２送風経路２０の羽根車３３よりも上流側の流路面積は第２吸気側開口部３２ａよりも大きくなっている。第２ケーシング３２の壁面は所定の曲率で湾曲し、先端に第４吹出口４ｄが開口する。これにより、第４吹出口４ｄと第２吸込口５ｂとを連結した第２送風経路２０が形成される。
【００３２】
また、第１ケーシング３１の第１吸気側開口部３１ａ近傍は、軸方向から見て第２ケーシング３２の第２吸気側開口部３２ａから所定範囲を回転中心の回りに所定の角度θだけ回転移動した形状に一致する。これにより、第１吸気側開口部３１ａの開口面と第２吸気側開口部３２ａの開口面とが周方向に異なる角度に配される。
【００３３】
このため、第１ケーシング３１及び第２ケーシング３２をクロスフローファンから成る送風ファン３０に最適な形状に形成して第１送風経路１０及び第２送風経路２０の排気側の流路を形成することができる。これにより、第１送風経路１０及び第２送風経路２０を流通する気流が急激に曲げられず、圧力損失を低減して送風効率を向上できるとともに騒音を低減することができる。
【００３４】
図６は図３のＣ−Ｃ断面の上面断面図を示している。第１送風経路１０内には送風ファン３０の下流側で水平方向に分割された複数の第１分割通路１０ａ、第２分割通路１０ｂ及び第３分割通路１０ｃが順に設けられる。第１分割通路１０ａ、第２分割通路１０ｂ及び第３分割通路１０ｃはそれぞれ前端に第１吹出口４ａ、第２吹出口４ｂ及び第３吹出口４ｃが開口する。また、第１分割通路１０ａ及び第３分割通路１０ｃの内側の側壁１０ｅ及び外側の側壁１０ｆは鉛直面に対して傾斜した曲面により形成される。
【００３５】
第１分割通路１０ａ、第２分割通路１０ｂ及び第３分割通路１０ｃにはそれぞれ送風ファン３０の下流側に垂直方向拡大部１１及び軸方向拡大部１２（図５参照）が形成される。垂直方向拡大部１１は流路を送風ファン３０の回転軸の垂直方向に徐々に拡大する。軸方向拡大部１２は垂直方向拡大部１１の下流側で流路を送風ファン３０の回転軸の軸方向に徐々に拡大するとともに垂直方向に徐々に縮小する。また、軸方向拡大部１２は水平に対して所定角度だけ上方に向かって傾斜する。
【００３６】
尚、軸方向拡大部１２の流路面積は下流になる程拡大されている。また、第１分割通路１０ａ、第２分割通路１０ｂ及び第３分割通路１０ｃは垂直方向拡大部１１及び軸方向拡大部１２に連続して形成される。
【００３７】
第１分割通路１０ａ、第２分割通路１０ｂ及び第３分割通路１０ｃには微小粒子発生装置７の電極７ａ、７ｂが露出して配される。電極７ａと電極７ｂとは第１分割通路１０ａ、第２分割通路１０ｂ及び第３分割通路１０ｃ内でそれぞれ仕切壁１０ｄにより仕切られて配置される。また、前述の図４に示すように、第２送風経路２０にも同様の微小粒子発生装置７が電極７ａ、７ｂを露出して配される。
【００３８】
電極７ａ、７ｂには交流波形またはインパルス波形から成る電圧が印加される。電極７ａには正電圧が印加され、電離により発生するイオンが空気中の水分と結合して主としてＨ+（Ｈ2Ｏ）ｍから成る電荷が正のクラスタイオンが形成される。電極７ｂには負電圧が印加され、電離により発生するイオンが空気中の水分と結合して主としてＯ2-（Ｈ2Ｏ）ｎから成る電荷が負のクラスタイオンが形成される。ここで、ｍ、ｎは任意の自然数である。
【００３９】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌や臭い成分等の表面上で凝集生成してこれらを破壊する。ここで、ｍ’、ｎ’は任意の自然数である。従って、プラスイオン及びマイナスイオンを発生して第１〜第４吹出口４ａ〜４ｄから吐出することにより、室内の殺菌及び臭い除去を行うことができる。
【００４０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４１】
上記構成の微小粒子拡散装置１において、送風ファン３０及び微小粒子発生装置７が駆動されると、室内の空気が第１吸込口５ａ及び第２吸込口５ｂから筐体２内に取り込まれる。筐体２内に取り込まれる空気はフィルタ６により塵埃が捕集され、第１送風経路１０及び第２送風経路２０を流通して送風ファン３０に導かれる。
【００４２】
第２送風経路２０の第２ケーシング２０を流通する気流は第４吹出口４ｄから下方後方に向かって吹き出される。そして、微小粒子拡散装置１が取り付けられる側壁Ｓに沿って流下する。
【００４３】
第１送風経路１０の第１ケーシング３１を流通する気流は第１分割通路１０ａ、第２分割通路１０ｂ及び第３分割通路１０ｃに分岐する。そして、それぞれの気流は第１吹出口４ａ、第２吹出口４ｂ及び第３吹出口４ｃに導かれる。この時、送風ファン３０の回転軸を鉛直に配置すると、遠心力によって左右方向で気流が不均一になる。このため、送風ファン３０の回転軸を水平に配して左右方向の気流を均一にすることができる。加えて、第１分割通路１０ａ及び第３分割通路１０ｃの内側の側壁１０ｅが鉛直面に対して傾斜するため、送風ファン３０から周接線方向に直進する気流を容易に湾曲させることができる。
【００４４】
また、垂直方向拡大部１１で上下方向に流路が広げられるとともに軸方向拡大部１２で左右方向に流路が広げられる。軸方向拡大部１２よりも上流の垂直方向拡大部１１では周方向に排気される送風ファン３０の遠心力の影響が大きい。このため、気流は送風ファン３０の回転軸に垂直な方向に進行するため左右に広げるのは望ましくない。垂直方向拡大部１１で上下方向に流路を拡大することによって気流の運動エネルギーを回収して静圧に変換し、静圧が高められる。これにより、微小粒子拡散装置１の送風能力を向上させることができる。尚、垂直方向拡大部１１で流路の左右方向の幅を一定にしてもよく、やや縮小してもよい。この時、流路面積は下流になる程徐々に拡大させる。
【００４５】
軸方向拡大部１２では送風ファン３０による遠心力が弱まった状態で流路を左右方向に拡大するので、圧力損失を大きくすることなく気流を円滑に湾曲させて左右方向に広げることができる。また、上下方向に流路が絞られるため、気流をより円滑に左右方向に広げることができるとともに気流の速度低下を抑制することができる。この時、軸方向拡大部１２の流路面積が下流になる程拡大するので、軸方向拡大部１２においても運動エネルギーを回収して静圧に変換し、静圧を高めることができる。尚、軸方向拡大部１２で流路の上下方向の幅を一定に維持してもよく、流路面積を一定に維持してもよい。
【００４６】
第１送風経路１０及び第２送風経路２０を流通する気流には微小粒子発生装置７によってプラスイオンとマイナスイオンとが含まれる。これにより、第１吹出口４ａ、第２吹出口４ｂ、第３吹出口４ｃ及び第４吹出口４ｄからプラスイオンとマイナスイオンとを含む気流が送出される。
【００４７】
図７は微小粒子拡散装置１から送出される室内Ｄの気流の状態を示している。第１吹出口４ａから右方に向かって送出された第１気流Ａ１は天井壁Ｔに沿って流通し、右方の側壁（第１壁面Ｐ１）に沿って降下する。第２吹出口４ｂから前方に向かって送出された第２気流Ａ２は天井壁Ｔに沿って流通し、微小粒子拡散装置１が配される側壁Ｓに対向する側壁（第２壁面Ｐ２）に沿って降下する。第３吹出口４ｃから左方に向かって送出された第３気流Ａ３は天井壁Ｔに沿って流通し、左方の側壁（第３壁面Ｐ３）に沿って降下する。
【００４８】
第４吹出口４ｄから送出される第４気流Ａ４は微小粒子拡散装置１が配される側壁Ｓに沿って降下する。この時、第４気流Ａ４の流量は第２気流Ａ２の流量よりも少なく、例えば、第２気流Ａ２の流量の１０％程度になっている。
【００４９】
第１壁面Ｐ１、第２壁面Ｐ２及び第３壁面Ｐ３を降下する気流は室内の床面Ｆを流通し、側壁Ｓに沿って上昇して微小粒子拡散装置１の第１吸込口５ａに戻る。また、室内の一部の空気は微小粒子拡散装置１の上方から第２吸込口５ｂに戻る。これにより、室内の各壁面に沿って気流が循環して室内の隅々にイオンを行き渡らせることができる。また、室内の中央部の居住空間には壁面に沿って流通する気流によってイオンが緩やかに拡散する。第１、第２、第３気流Ａ１、Ａ２、Ａ３は壁面に沿ってコアンダ効果によって進行するため、室内の空気に奪われる運動エネルギーが抑制される。
【００５０】
即ち、気流が天井壁Ｔに沿わない場合には、気流の上側が周囲空気（天井壁Ｔと気流との間の空気）を誘引して周囲空気に運動エネルギーを奪われて損なわれる。気流が天井壁Ｔに沿う場合には、壁面の摩擦抵抗により運動エネルギーが損なわれるが、天井壁Ｔに沿わない場合に損なわれる運動エネルギーよりも一般的に非常に小さい。これにより、消費電力を抑制して気流の到達距離を大きくすることができる。
【００５１】
また、第１、第２、第３気流Ａ１、Ａ２、Ａ３は室内全体を流通して第１吸込口５ａに戻るため、側壁Ｓ近傍のイオンが不足する場合がある。このため、第４気流Ａ４が側壁Ｓを降下して側壁近傍のイオンを補充することができる。この時、第４気流Ａ４の流量が第２気流Ａ２の流量よりも少ないため、第４気流Ａ４による抵抗を抑制することができる。
【００５２】
また、第１送風経路１０の軸方向拡大部１２が水平に対して所定角度だけ上方に向かって傾斜するので、第１気流Ａ１、第２気流Ａ２及び第３気流Ａ３を天井壁Ｔに到達した後に天井壁Ｔに沿って流通させることができる。しかしながら、第１気流Ａ１、第２気流Ａ２及び第３気流Ａ３が天井壁Ｔに到達するまでに運動エネルギーが奪われる。このため、天井壁Ｔまでの距離を短くするために隙間Ｈを３０ｃｍ以下に設定するのが望ましく、天井壁Ｔに円滑に気流が沿うように軸方向拡大部１２を流通する気流の傾斜角度を２０°以下にするのが望ましい。
【００５３】
尚、電極７ａ、７ｂにより発生するイオンの極性を所定期間毎に切り替えてもよい。即ち、電極７ａからプラスイオンを発生して電極７ｂからマイナスイオンを発生する。所定期間が経過すると電極７ａからマイナスイオンを発生して電極７ｂからプラスイオンを発生する。更に所定期間が経過すると、電極７ａからプラスイオンを発生して電極７ｂからマイナスイオンを発生し、この動作を繰り返す。
【００５４】
これにより、第１分割通路１０ａ、第２分割通路１０ｂ及び第３分割通路１０ｃを左右に広がって送出される気流の左端及び右端にプラスイオンとマイナスイオンとが交互に送出される。従って、居室内の左右方向の広い範囲までプラスイオン及びマイナスイオンを高い濃度で分布させることができる。
【００５５】
本実施形態によると、送風ファン３０の羽根車３３を覆う第１、第２ケーシング３１、３２が羽根車３３の軸方向に並設され、それぞれを通る気流の吹出し方向が異なるので、簡単な構成で複数の方向に気流を送出することができる。従って、イオンを室内の隅々まで容易に行き渡らせることができる。また、気流が急激に曲げられないため圧力損失の低下を防止し、送風効率を向上するとともに騒音を低減することができる。
【００５６】
また、第１ケーシング３１は羽根車３３が突出する第１吸気側開口部３１ａを一端に開口して羽根車３３の排気側に延び、第２ケーシング３２は羽根車３３が突出する第２吸気側開口部３２ａを一端に開口して羽根車３３の排気側に延びる。そして、第１吸気側開口部３１ａの開口面と第２吸気側開口部３２ａの開口面とが羽根車３３の周方向に異なる角度に配される。これにより、第１、第２ケーシング３１、３２を送風ファン３０に対して圧力損失の低い最適な形状に簡単に形成することができる。また、第１ケーシング３１を通る気流の吹出し方向（前方上方）と第２ケーシング３２を通る気流の吹出し方向（下方後方）とが９０゜以上異なるように容易に形成することができる。
【００５７】
また、第１吸気側開口部３１ａから所定範囲の第１ケーシング３１が第２吸気側開口部３２ａから所定範囲の第２ケーシング３２を羽根車３３の軸方向から見て羽根車３３の回転中心の回りに回転移動させた形状に一致するので、最適な形状の第１、第２ケーシング３１、３２をより簡単に形成することができる。
【００５８】
また、第１ケーシング３１によって前方上方に向けて室内に気流を送出し、第２ケーシング３２によって下方に向けて室内に気流を送出するので、室内の隅々まで容易にイオンを行き渡らせることができる。尚、隙間Ｈが小さい場合には第１ケーシング３１によって水平方向に気流を吹き出してもよい。
【００５９】
本実施形態において、微小粒子拡散装置１は微小粒子発生装置７により発生したプラスイオンとマイナスイオンとを送出して室内の殺菌を行っている。微小粒子発生装置７によりマイナスイオンのみを発生して室内のリラクゼーション効果を得る微小粒子拡散装置１であってもよい。また、微小粒子発生装置７により芳香剤、消臭剤、殺虫剤、殺菌剤等を発生して室内の消臭、殺虫、殺菌等を行う微小粒子拡散装置１であってもよい。
【００６０】
また、微小粒子発生装置７を省いて第１、第２、第３、第４気流Ａ１、Ａ２、Ａ３、Ａ４によって室内の気流を循環させるサーキュレータにしてもよい。この時、第１、第２、第３気流Ａ１、Ａ２、Ａ３は壁面に沿ってコアンダ効果によって進行するため、室内の空気に奪われる運動エネルギーが抑制され、気流の到達距離を大きくすることができる。
【００６１】
また、第１ケーシング３１によって前方上方に向けて室内に気流を送出し、第２ケーシング３２によって下方に向けて室内に気流を送出するので、室内の空気を隅々まで容易に循環させることができる。尚、隙間Ｈが小さい場合には第１ケーシング３１によって水平方向に気流を吹き出してもよい。
【産業上の利用可能性】
【００６２】
本発明によると、室内の空気を循環させるサーキュレータに利用することができる。また本発明によると、イオン、芳香剤、消臭剤、殺虫剤、殺菌剤等の微小粒子を送出して室内に拡散させる微小粒子拡散装置に利用することができる。
【符号の説明】
【００６３】
１    微小粒子拡散装置
２    筐体
４ａ  第１吹出口
４ｂ  第２吹出口
４ｃ  第３吹出口
４ｄ  第４吹出口
５ａ  第１吸込口
５ｂ  第２吸込口
６    フィルター
７    微小粒子発生装置
１０    第１送風経路
１０ａ  第１分割通路
１０ｂ  第２分割通路
１０ｃ  第３分割通路
１１    垂直方向拡大部
１２    軸方向拡大部
２０    第２送風経路
３０    送風ファン
３１    第１ケーシング
３２    第２ケーシング
３３    羽根車
Ａ１  第１気流
Ａ２  第２気流
Ａ３  第３気流
Ａ４  第４気流
Ｆ    床面
Ｐ１  第１壁面
Ｐ２  第２壁面
Ｐ３  第３壁面
Ｓ    側壁
Ｔ    天井壁
【図１】
2011141058.tif 000003
【図２】
2011141058.tif 000004
【図３】
2011141058.tif 000005
【図４】
2011141058.tif 000006
【図５】
2011141058.tif 000007
【図６】
2011141058.tif 000008
【図７】
2011141058.tif 000009
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
クロスフロー型の羽根車と、前記羽根車を覆って気流路を形成するとともに前記羽根車の軸方向に並設される第１ケーシング及び第２ケーシングとを備え、第１ケーシングを通る気流の吹出し方向と、第２ケーシングを通る気流の吹出し方向とが異なり、
第１ケーシングは前記羽根車が突出する第１吸気側開口部を一端に開口して前記羽根車の排気側に延びるとともに、第２ケーシングは前記羽根車が突出する第２吸気側開口部を一端に開口して前記羽根車の排気側に延び、
第１吸気側開口部の近傍で前記羽根車と第１ケーシングとが近接するとともに、第２吸気側開口部の近傍で前記羽根車と第２ケーシングとが近接し、
第１吸気側開口部の開口面と第２吸気側開口部の開口面とが前記羽根車の周方向に異なる角度に配されることを特徴とする送風ファン。
【請求項２】
第１吸気側開口部から所定範囲の第１ケーシングが第２吸気側開口部から所定範囲の第２ケーシングを前記羽根車の軸方向から見て前記羽根車の回転中心の回りに回転移動させた形状に一致することを特徴とする請求項１に記載の送風ファン。
【請求項３】
第１ケーシングを通る気流の吹出し方向と第２ケーシングを通る気流の吹出し方向とが９０゜以上異なることを特徴とする請求項１または請求項２に記載の送風ファン。
【請求項４】
請求項１〜請求項３のいずれかに記載の送風ファンを備え、室内に向かって複数方向に気流を送出して室内の空気を循環させることを特徴とするサーキュレータ。
【請求項５】
第１ケーシングによって水平または前方上方に向けて室内に気流を送出し、第２ケーシングによって下方に向けて室内に気流を送出することを特徴とする請求項４に記載のサーキュレータ。
【請求項６】
請求項１〜請求項３のいずれかに記載の送風ファンと、微小粒子を発生する微小粒子発生装置とを備え、室内に向かって複数方向に微小粒子を含む気流を送出して室内に微小粒子を拡散させることを特徴とする微小粒子拡散装置。
【請求項７】
第１ケーシングによって水平または上方に向けて室内に気流を送出し、第２ケーシングによって下方に向けて室内に気流を送出することを特徴とする請求項６に記載の微小粒子拡散装置。
【請求項８】
前記微小粒子発生装置で発生する微小粒子が、イオン、芳香剤、消臭剤、殺虫剤、殺菌剤のいずれかを含むことを特徴とする請求項６または請求項７に記載の微粒子拡散装置。